(57)【要約】【課題】本発明は、上記従来の課題を解決するもので、特別な別体がなくとも、簡単に静電気力で掃除できるちりとりを実現することを課題とする。【解決手段】摩擦により静電気を帯びる先端部１６を有するほうき１１と、摩擦により前記静電気と逆の静電気を帯びるちりとり１０と、を含む掃除道具を用いる。また、ちりとり１０は、底部１４と、底部１４の周囲を囲む側部１８と、側部１８の上部に設けられた第１取手１２と、側部に設けられたゴミ除去部１３とを含む上記掃除道具を用いる。【選択図】図５
2015130983.tif 000002
【特許請求の範囲】
【請求項１】
摩擦により静電気を帯びる先端部を有するほうきと、
前記摩擦により前記静電気と逆の静電気を帯びるちりとりと、を含む掃除道具。
【請求項２】
前記ちりとりは、底部と、前記底部の周囲の一部を囲む側部と、前記側部の上方に設けられた取手と、前記側部に設けられたゴミ除去部とを含む請求項１記載の掃除道具。
【請求項３】
前記ゴミ除去部には、上下に貫通する穴がある請求項２記載の掃除道具。
【請求項４】
前記ゴミ除去部は、前面に凹凸を有する請求項２または３記載の掃除道具。
【請求項５】
前記ゴミ除去部は、板状であり、前記底部に平行に設けられ、前記ゴミ除去部はその前面以外が、前記側部に固定されている請求項２から４のいずれか１項に記載の掃除道具。
【請求項６】
前記ちりとりの底部表面に突起が設けられた請求項１から５のいずれか１項に記載の掃除道具。
【請求項７】
前記ちりとりの底部表面に静電気を発生させるための静電板が設けられた請求項１から５のいずれか１項に記載の掃除道具。
【請求項８】
前記ほうきの先端部は、複数種類の繊維状物質からなる請求項１から７のいずれか１項に記載の掃除道具。
【請求項９】
摩擦により静電気を帯びる先端部を有する掃除道具であり、
前記先端部は、複数の繊維状物質からなり、前記複数の繊維状物質間の摩擦で前記静電気が発生する掃除道具。
【請求項１０】
ほうきと、ちりとりとを、接触させながら相対移動させ、静電気をそれぞれに発生させる静電気発生工程と、
前記ちりとりでゴミを回収するゴミ回収工程と、
前記ゴミ回収工程で回収された前記ゴミを、前記ほうきと前記ちりとりとを接触させることで、前記静電気を中和し、前記ゴミを前記ほうきから前記ちりとりへ移す中和回収工程と、含む掃除方法。
【請求項１１】
ほうきと、ちりとりとを、接触させながら相対移動させ、正負の静電気をそれぞれに発生させる静電気発生工程と、
前記ちりとりでゴミを回収するゴミ回収工程と、
前記ちりとりを静電気除去部材に近づけることで、前記静電気を中和し、前記ゴミを前記ちりとりから除去する中和回収工程と、含む掃除方法。
【発明の詳細な説明】
【技術分野】
【０００１】
本発明は、掃除道具と掃除方法に関する。特に、動力を要しない清掃道具、掃除方法に関する。
【背景技術】
【０００２】
従来の掃除道具を図６に示す（特許文献１）。第２取手１５の先端に保持部１７があり、この保持部１７に先端部１６が取り付けられている。先端部１６を床、カーペット、たたみなどでこすると、先端部１６に静電気が発生する。この静電気の力で、ゴミを先端部１６に付着し、清掃するものである。
【先行技術文献】
【特許文献】
【０００３】
【特許文献１】実登３０９２７１４号公報
【発明の概要】
【発明が解決しようとする課題】
【０００４】
しかしながら、ゴミを先端部１６から取り除き、ゴミ箱などへ捨てるには、静電気力の解除が必要である。
【０００５】
時間的に静電気が無くなるのを待つか、別途、粘着材、中性化するイオナイザーを使用するなど必要である。特別な別体が必要である。
【０００６】
本発明は、上記従来の課題を解決するもので、特別な別体がなくとも、簡単に静電気力で掃除できるちりとりを実現することを課題とする。
【課題を解決するための手段】
【０００７】
上記問題を解決するために、摩擦により静電気を帯びる先端部を有するほうきと、摩擦により前記静電気と逆の静電気を帯びるちりとりと、を含む掃除道具を用いる。
【０００８】
ほうきと、ちりとりとを、接触させながら相対移動させ、静電気をそれぞれに発生させる静電気発生工程と、ちりとりでゴミを回収するゴミ回収工程と、ゴミ回収工程で回収された前記ゴミを、ほうきとちりとりとを接触させることで、静電気を中和し、ゴミを前記ほうきからちりとりへ移す中和回収工程と、含む掃除方法を用いる。
【発明の効果】
【０００９】
本発明の掃除道具では、静電気を利用することで、ゴミを満遍なく回収できる掃除道具である。
また、人の動作で静電気を発生させ、動力がいらない掃除道具である。
【図面の簡単な説明】
【００１０】
【図１】（ａ）実施の形態１の掃除道具の斜視図、（ｂ）実施の形態１のほうきの斜視図、（ｃ）（ａ）の断面図、（ｄ）〜（ｅ）実施の形態１の掃除道具のちりとりのゴミ除去部の先端部の部分拡大図、（ｆ）〜（ｇ）実施の形態１の掃除道具のほうきの先端部の部分拡大図
【図２】（ａ）〜（ｄ）実施の形態１の掃除道具の使用方法を説明する断面図
【図３】（ａ）実施の形態２の掃除道具の斜視図、（ｂ）実施の形態２の掃除道具の変形例の斜視図、（ｃ））実施の形態２の掃除道具のちりとりの底部の変形例の斜視図
【図４】実施の形態３の掃除道具の斜視図
【図５】（ａ）実施の形態４のほうきの斜視図、（ｂ）実施の形態４のほうきの先端部の拡大平面図、（ｃ）実施の形態４のちりとり１０の斜視図
【図６】従来の掃除道具の斜視図
【発明を実施するための形態】
【００１１】
以下本発明の実施の形態について、図面を参照しながら説明する。なお、この実施の形態によって本発明が限定されるものではない。
（実施の形態１）
図１（ａ）、図１（ｂ）、図１（ｃ）は、本発明の実施の形態１の掃除道具を示す。掃除道具は、ちりとり１０と、ほうき１１と、からなる。
【００１２】
図１（ａ）は、ちりとり１０の斜視図を示す。図１（ｂ）は、ほうき１１の斜視図を示す。図１（ｃ）は、ちりとり１０の断面図を示す。
＜ちりとり１０＞
ちりとり１０は、第１取手１２と、底部１４と、側部１８と、ゴミ除去部１３とを含む。ゴミ除去部１３には、穴２０がある。
【００１３】
底部１４は、平面板で、方形である。台形など多角形でもよい。底部１４は、静電気発生、除去、ゴミを保持する部分である。
側部１８は、底部１４の周囲を囲む壁である。前面部分の辺の部分のみ開いている。静電気発生・除去部４０が前方に位置する。この部分と、ほうき１１の先端部１６とを摩擦することで、静電気が発生する。また、この部分と、ほうき１１の先端部１６とを接触し保持することで、静電気が除去される。側部１８は、ちりとり１０の外周部分でゴミが周囲へ広がらず、保持するためのものである。
【００１４】
第１取手１２は、人が持つところである。ゴミ除去部１３は、板状体、平面状である。その平面で底部１４の面と略平行である。側部１８に設置されている。ほうき１１のゴミを、取り除くためのもので、端面に凹凸が形成されている。その他の方向は、側面１８に設置されている。
この凹凸を図１（ｄ）、図１（ｅ）に示す。凹凸のピッチは２ｍｍ〜５ｍｍ程度である。凹部の深さ（凸部の高さ）は、２ｍｍ〜１０ｍｍである。ほうき１１の先端部１６が、この凹凸に均質に入り込むことができればよい。ほうき１１の先端部１６の繊維径が凹凸に入り込むように、繊維径より大きい必要がある。図１（ｅ）のように尖っている凹凸の方が、図１（ｄ）のように滑らかな凹凸より、ほうき１１の先端部１６からゴミを取り除ける。
【００１５】
穴２０は、ゴミ除去部１３と底部１４と側部１８とで囲まれた空間からエアーを抜くものである。円形状の貫通穴である。スリットでもよい。ゴミ除去部１３と側部１８との間の空間の奥の部分に隙間を設けてもよい。ここで、ちりとり１０は、樹脂製品で作製され、静電気が起きやすい材質である。
【００１６】
＜ほうき１１＞
ほうき１１は、第２取手１５と、保持部１７と、先端部１６とを含む。第２取手１５は、人が手でもつものである。
【００１７】
保持部１７は、先端部１６を保持するものである。先端部１６は、樹脂の繊維状物質からなる。静電気が発生するところである。繊維の場合、その繊維の径は０．３〜１．０ｍｍである。０．５〜１．０ｍｍがよい。静電気発生、および、ちりとり１０の凹凸と接触しゴミを離すため、繊維の腰がある程度必要であるためである。太すぎると、表面積が少なくなりゴミ収集能力が下がる。
【００１８】
繊維は直線より波打っている形状の方がよい。より接触面積が多く、静電気を帯びやすく、ゴミを集めやすいためである。その状態を図１（ｆ）、図１（ｇ）で示す。図１（ｇ）のようにうねっている方が、図１（ｆ）のように直線よりよい。さらに、うねっていることで、ゴミ除去部１３の先端の凹凸により、繊維のゴミが取り除かれる。うねりは、繊維径の太さ以内である。うねり過ぎると絡まってゴミが取り出せない。
【００１９】
＜プロセス＞
図２（ａ）から図２（ｄ）の断面図で、ちりとり１０とほうき１１とで清掃する方法を説明する。まず、静電気発生工程として、図２（ｃ）の状態で、静電気を発生させるため、底部１４の静電気発生・除去部４０と先端部１６とを接触させながら、それぞれ相対移動させる。一方が正、他方が負の静電気を帯びる。静電気は発生後、しばらくの間、両者で維持される。
【００２０】
その後、図２（ａ）では、ほうき１１と、ちりとり１０とで清掃を始める前の状態とする。
次に、図２（ｂ）では、ほうき１１が床面２１をはいて、ちりとり１０へゴミを入れる直前である。この状態で、ほうき１１とちりとり１０には、以前のお互いの接触摩擦にて、逆の静電気がそれぞれに起きている。また、先端部１６には、ゴミが付着されている。
【００２１】
その後、図２（ｃ）では、先端部１６がちりとり１０の静電気発生・除去部４０に接触し、静電気が中和される（中和回収工程）。先端部１６は、ゴミ除去部１３の方へ進む。
その後、図２（ｄ）で、先端部１６は、ゴミ除去部１３に接触しつつ、上方で引き上げられる。ゴミ除去部１３の側部前方の凹凸により、先端部１６がばらされ、ゴミが取り除かれる。結果、ゴミはゴミ除去部１３により回収される（回収工程）。
先端部１６とゴミ除去部１３とが離れると、また、静電気が先端部１６、静電気発生・除去部４０に復活する。次のゴミを集める。
【００２２】
ゴミは、図１（ｃ）でわかるように、ゴミ除去部１３と底部１４と側部１８の空間へ導かれる。この時、空気の逆流の流れでゴミが、ちりとり１０の前方に出てこないように、ゴミ除去部１３に穴２０がある。空気はこの穴２０を通して上方へ逃げ、ゴミがちりとり１０内に捕獲される。ゴミの静電気は弱っているが、まだ帯びており、空気とともに穴２０から外部へ逃げにくい。
【００２３】
また、図１（ｃ）に示しているように、ゴミ除去部１３の前面の先端部４１と、底部１４の前面の先端部４３とは、尖っているのがよい。
ゴミ除去部１３の前面の先端部４１は、尖っていればよい。ほうき１１の先端部１６からゴミを奪いやすい。４５度程度がよい。
【００２４】
底部１４の前面の先端部４３は、下面が出ているよう尖っているのがよい。ゴミを受け入れやすい。４５度程度がよい。
また、第１取手１２より前に、ゴミ除去部１３、その前に静電気発生・除去部４０が位置する。静電気発生・除去部４０は単なる凹凸のない平面でもよいが、凹凸があってもよい。ほうき１１の先端部１６との摩擦で、より静電気が帯びやすいためである。
【００２５】
静電気力にてゴミを回収するので、先端部１６と底部１４の材質は、（摩擦）帯電系列で離れた材料がよい。摩擦帯電系列は、プラスに帯電しやすいものから、並べると、アスベスト、アスベスト、人毛、毛皮、ガラスウール、ナイロン、レーヨン、鉛、絹、木、綿、麻、木材、人の皮膚、アセテート、アルミニューム、紙、鉄、銅、ニッケル、ゴム、ポリプロピレン、ポリエステル、アクリル、ポリウレタン、ポリエチレン、塩化ビニールである。レーヨンからプラス側と、ポリプロピレンからマイナス側の材質を使用すると好ましい。
【００２６】
離れているほど、逆の静電気の極を起こし、効率がよい。１つの例として、先端部１６はナイロン、底部１４は塩化ビニールを用いることが好ましい。ナイロンの繊維をハケのように利用できる。塩化ビニールの材料を使用し、ちりとり１０を一体成型で作製できる。
この場合、先端部１６は正に帯電、底部１４は負に帯電する。
【００２７】
最終、ちりとり１０も、ほうき１１も静電気を保持するので、しばらく放置させ、静電気が消滅してから、捨てられる。なお、静電気を帯びないゴミも、上記工程中で、ちりとり１０とほうき１１とで清掃される。
【００２８】
（実施の形態２）
図３（ａ）は、実施の形態２のちりとり１０の斜視図である。実施の形態１と異なるところは、ゴミ除去部１３がなく、山型突起３１が底部１４にあることである。山型突起３１の位置は、底部１４の中ほどである。前方に静電気発生・除去部４０があり、その内側に位置する。なお、ゴミ除去部１３を有していてもよい。
【００２９】
静電気発生・除去部４０と先端部１６とで静電気を発生し、山型突起３１でゴミを除去する。図３（ｂ）は、山型突起３１の変形例である。底部１４に突起が繋がった山脈型突起３２が位置する。突起は、山型でも山脈型でもよいが、山型突起３１の方が、突起部分が多くありゴミをより先端部１６から取り除くことができる。山脈型突起３１の方向はほうき１１の移動方向と同じの方が良い。ほうき１１の先端部１６が入り込みやすく、静電気を起こしやすく、ゴミを渡しやすい。ただし、図３（ｃ）のように、山脈型突起３１の方向はほうき１１の移動方向と垂直の場合でもよい。
【００３０】
説明しない事項は、実施の形態１と同じである。突起の高さは２ｍｍ〜１０ｍｍ程度がよい。
（実施の形態３）
図４は、実施の形態３のちりとり１０の斜視図である。実施の形態１、２との差異は、実施の形態１のゴミ除去部１３、実施の形態２の突起がないことである。
【００３１】
この例では、先端部１６のゴミを、静電気発生・除去部４０を利用してちりとり１０へ入れる。静電気発生・除去部４０にはゴミ除去部１３や突起がないので、強制的に先端部１６のゴミを取り出せないが、先端部１６と静電気発生・除去部４０とを接触させ、静置させることで中和して、先端部１６を少し、振動させる。結果、ゴミを先端部１６から静電気発生・除去部４０である底部４０へ移動させる。
【００３２】
また、先端部１６のゴミを、側部１８を利用してちりとり１０へ入れることもできる。つまり、先端部１６を側部１８に擦りつけ、ゴミをちりとり１０へ入れることもできる。この場合、側部１８の上面のエッジ部分はとがっている方がよい。説明しない事項は、実施の形態１と同じである。
【００３３】
（実施の形態４）
図５（ａ）は、実施の形態４のほうき１１の斜視図である。図５（ｂ）は、図５（ａ）のほうき１１の先端部１６の拡大平面図である。図５（ｃ）は、実施の形態４のちりとり１０である。
実施の形態１から３との差異は、先端部１６の繊維が複数種類あることである。第１繊維１６１、第２繊維１６２が均質に混じってセットされている。第１繊維１６１としては、ナイロン、第２繊維１６２としては、ポリプロピレンが使用できる。両者が、実施の形態１で示した摩擦帯電系列で、離れた範囲のものがよい。両者の摩擦によって発生する静電気により、正負の静電気が帯びる。ゴミがどちらの静電気に帯びてもしっかり捕獲できる。先端部１６を床面４０に接触させて摩擦させてもよいし、ちりとり１０と接触させて摩擦させてもよい。使用方法は、上記実施の形態１〜３と同様である。
【００３４】
ちりとり１０は、摩擦帯電系列で、第１繊維１６１と第２繊維１６２との間の材質がよい。両者を中和状態へもっていける。好ましい例として、ちりとり１０の斜視図を図５（ｃ）に示す。板状の短冊状静電板（短冊型第一静電板３３と短冊型第二静電板３４）が静電気発生・除去部４０に設置されている。静電板は、ほうき１１の先端部１６との間で静電気を以下のように発生するものである。先端部１６の材質に対して、摩擦にて、静電気を発生させやすい材料ならよい。１つでもよい。１つの例として、第１繊維１６１のナイロン、第２繊維１６２のポリプロピレンを用いることができる、
【００３５】
ちりとり１０は特に材質の指定は必要がない。しかし、短冊型第一静電板３３と短冊型第二静電板３４の複数個を底部１４に取り付けるための条件を満たす必要がある。好ましい取り付け方法は、嵌合またはちりとり１０の一体成型時に静電板を埋め込むことである。この場合、静電板が外れないように三角の縁取りを施すと良い。短冊型第一静電板３３と短冊型第二静電板３４の複数個を交互に並べることがよい。
【００３６】
次に図５（ｃ）を参照して、ちりとり１０の機能について述べると、第一繊維１６１と第二繊維１６２とからなるほうき１１により，短冊型第１静電板３３と短冊型第２静電板３４とが摩擦すると短冊型第１静電板３３およびと短冊型第２静電板３４の表面がそれぞれ正および負に帯電する。
【００３７】
その理由は短冊型第１静電板３３の表面とほうきの第二繊維１６２とが摩擦する場合のみ帯電するが、ほうきの第一繊維１６１との摩擦では帯電しない。同様に短冊型第２静電板３４にほうきの第一繊維１６１との摩擦により、短冊型静電板３２は負に帯電する。ほうき１１にも正負の静電気が帯びている。
【００３８】
以上の説明で明らかなように、ちりとり１０の方面（静電気発生・除去部４０）には正負の帯電が共存する結果、ゴミは着実に捕獲される。ちりとり１０の表面が正または負の一種類の帯電だけでは、ゴミの一端に静電気による吸引力が働くが、他端は静電気の吸引力が働かない。従って、安定してゴミを捕獲するには正負の帯電を実現することが必要である。
【００３９】
さらに図５（ｃ）に示すちりとりを使い終わった時点で、底部１４裏面に金属板（静電気除去部材）を接近させることにより、ゴミは簡単にちりとり１０から除去できる。
ここで、ちりとり１０、ほうき１１の両方に正負の静電気の発生は好ましい例であり、一方に、正負の帯電があればよい。
【００４０】
ただし、この例では、ほうき１１単独でも使用できる。たとえば、床面４０と、先端部１６との間で静電気は発生させ、ゴミを捕獲する。掃除中は、ほうき１１にゴミをため、ほうき１１保管庫などへそのまま保管し、静電気が無くなった時点でゴミがほうき１１から落ちる。または、清掃後、ほうき１１を金属製のゴミ箱へ接触させ、中和しゴミを除去してもよい。繊維は２種類だけでなく、複数種類含まれてもよい。また、静電板を用いるので、ちりとりの材質を自由に選択できる。
【００４１】
その他は実施の形態１〜３と同じである。
（なお書き）
なお、各実施の形態を組み合わせることができる。よって、たとえば、実施の形態１のゴミ除去部１３と実施の形態２の突起とを１つのちりとりに設けてもよい。ちりとり１０とほうき１１の組み合せも各実施の形態のものを組み合せできる。
【００４２】
上記清掃方法は家庭だけでなく、清掃業者も使用できる。特に、電気のない建物、部屋での掃除に欠かせない。
【産業上の利用可能性】
【００４３】
以上のように、本発明の掃除道具は、掃除道具として利用できる。電気がない環境でも使用できる。
【符号の説明】
【００４４】
１０  ちりとり
１１  ほうき
１２  第１取手
１３  ゴミ除去部
１４  底部
１５  第２取手
１６、４１，４３  先端部
１７  保持部
１８  側部
２０  穴
２１  床面
３１  山型突起
３２  山脈型突起
３３  短冊型第１静電板
３４  短冊型第２静電板
４０  静電気発生・除去部
【図１】
2015130983.tif 000003
【図２】
2015130983.tif 000004
【図３】
2015130983.tif 000005
【図４】
2015130983.tif 000006
【図５】
2015130983.tif 000007
【図６】
2015130983.tif 000008